(57)【要約】【課題】コンピュータプログラムの購入希望者が購入前に当該コンピュータプログラムを十分に理解することができ、しかも所望のコンピュータプログラムを迅速かつ容易に入手可能なコンピュータプログラムの販売システムを提供する。【解決手段】プログラムメーカー１に備えられたメーカー端末１Ａと、コンピュータプログラムの使用者（購入希望者）２が所有する使用者端末２Ａと、コンピュータプログラムの店頭販売者３が所有する販売者端末３Ａと、前記各端末１Ａ，２Ａ，３Ａ間を接続する通信ネットワーク４とからコンピュータプログラムの販売システムを構築する。店頭販売者３は、サンプルデータ及び／又は広告宣伝用データ並びに使用者端末２Ａをメーカー端末１Ａにリンクさせるための通信プログラムが記録されたサンプルメディア６を作成し、使用者２に配付する。使用者２は、サンプルメディア６に記録された通信プログラムを利用して、メーカー端末１Ａに発注データを送信する。【選択図】　　　　　図１
2004127014.tif 000002
【特許請求の範囲】
【請求項１】
プログラムメーカーに備えられたメーカー端末と、コンピュータプログラムの使用者が所有する使用者端末と、コンピュータプログラムの店頭販売者が所有する販売者端末と、これらの各端末間を接続する通信ネットワークとを備え、
前記コンピュータプログラムの店頭販売者は、前記プログラムメーカーが製造販売するコンピュータプログラムより抜粋されたサンプルデータ及び／又は前記プログラムメーカーが製造販売するコンピュータプログラムに関する広告宣伝用データ並びに前記使用者端末を前記メーカー端末にリンクさせるための通信プログラムが記録されたサンプルメディアを作成して前記使用者に配付し、
前記サンプルメディアを入手した前記使用者は、前記サンプルメディアに記録された前記データを前記使用者端末にて開き、購入を希望するコンピュータプログラムがあった場合には、前記通信プログラムを用いて前記使用者端末より前記メーカー端末に購入を希望するコンピュータプログラムに係る発注データの送信を行い、
前記プログラムメーカーは、前記メーカー端末に受信された前記発注データに基づいて前記使用者に商品であるコンピュータプログラムの発送又は送信を行うと共に、前記メーカー端末より前記販売者端末に前記発注データのうちの少なくとも発注数量に関するデータを転送することを特徴とするコンピュータプログラムの販売システム。
【請求項２】
請求項１に記載のコンピュータプログラムの販売システムにおいて、前記店頭販売者は、前記プログラムメーカーとの契約に基づいて前記サンプルディスクの作成を行うことを特徴とするコンピュータプログラムの販売システム。
【請求項３】
請求項１に記載のコンピュータプログラムの販売システムにおいて、前記店頭販売者は、前記通信ネットワークを介して前記メーカー端末から前記販売者端末に送信される電子データの形で前記プログラムメーカーから前記サンプルメディアに記録すべきコンピュータプログラムの提供を受けることを特徴とするコンピュータプログラムの販売システム。
【請求項４】
請求項１に記載のコンピュータプログラムの販売システムにおいて、前記店頭販売者は、前記コンピュータプログラムが可搬型情報記録媒体に記録されたデータパックの形で前記プログラムメーカーから前記サンプルメディアに記録すべきコンピュータプログラムの提供を受けることを特徴とするコンピュータプログラムの販売システム。
【請求項５】
請求項１に記載のコンピュータプログラムの販売システムにおいて、前記使用者は、前記通信ネットワークを介して前記メーカー端末から前記使用者端末に送信される電子データの形で前記プログラムメーカーから前記コンピュータプログラムを購入することを特徴とするコンピュータプログラムの販売システム。
【請求項６】
請求項１に記載のコンピュータプログラムの販売システムにおいて、前記使用者は、前記コンピュータプログラムが可搬型情報記録媒体に記録されたデータパックの形で前記プログラムメーカーから前記コンピュータプログラムを購入することを特徴とするコンピュータプログラムの販売システム。
【請求項７】
請求項１に記載のコンピュータプログラムの販売システムにおいて、前記サンプルメディアに前記サンプルデータ及び／又は前記広告宣伝用データの使用日数又は使用回数を制限するための使用制限プログラムを記録しておき、前記使用者による前記サンプルメディアの使用が前記使用制限プログラムによって規制された制限を超えた場合、自動的に前記使用者による前記サンプルメディアの使用を禁止することを特徴とするコンピュータプログラムの販売システム。
【請求項８】
請求項１に記載のコンピュータプログラムの販売システムにおいて、前記サンプルメディアに前記サンプルデータ及び／又は前記広告宣伝用データの前記使用者端末へのセーブを禁止するためのセーブ禁止プログラムを記録したことを特徴とするコンピュータプログラムの販売システム。
【発明の詳細な説明】
【０００１】
【発明の属する技術分野】
本発明は、オペレーティングシステムやアプリケーションソフト等のコンピュータプログラムの販売システムに関する。
【０００２】
【従来の技術】
従来より、コンピュータプログラムの販売方法としては、コンピュータプログラムの購入希望者が当該プログラムを取り扱う販売店に出向いて購入する方法、及びプログラムメーカーが開設しているウエブサイト（ホームページ）にコンピュータプログラムの購入希望者がアクセスし、プログラムメーカーの端末機より購入希望者が所有する端末機に所望のコンピュータプログラムを電子データの形でダウンロードする方法が知られている。
【０００３】
また、コンピュータプログラムの広告宣伝方法としては、プログラムメーカーが販売しようとするコンピュータプログラムの一部を抜粋してなるサンプルデータが記憶されたコンピュータを販売店の店頭に設置し、ユーザに体験使用させる方法や、雑誌等の付録にサンプルデータが記録されたサンプルメディアを添付し、ユーザが所有する端末機にて体験使用させる方法が知られている。
【０００４】
【発明が解決しようとする課題】
しかるに、前記コンピュータプログラムの販売方法のうち、購入希望者が販売店に出向いて直接購入する方法は、プログラムの購入希望者がいちいち販売店に出向かなくてはならないので、購入希望者の時間的な負担が大きく、所望のコンピュータプログラムを迅速に入手できないという不都合がある。一方、プログラムメーカーが開設しているウエブサイトにアクセスして所望のコンピュータプログラムを電子データの形でダウンロードする方法は、プログラムメーカーが開設しているウエブサイトのアドレスがわかっている場合には所望のコンピュータプログラムを迅速かつ容易に入手することができるが、プログラムメーカーが開設しているウエブサイトのアドレスが不明である場合も多く、その場合にはウエブサイトの検索に時間がかかるため、やはり所望のコンピュータプログラムを迅速に入手することができないという不都合がある。
【０００５】
また、前記コンピュータプログラムの広告宣伝方法のうち、販売店に設置されたコンピュータを用いて購入希望者にコンピュータプログラムを体験使用させる方法は、１台のコンピュータを多数人で使用するために、購入希望者が十分に所望のコンピュータプログラムを体験使用できない場合も多く、顧客サービスを十分に行えないという不都合がある。一方、サンプルメディアを雑誌等の付録として添付する方法にはかかる不都合はないが、従来のサンプルメディアには、購入希望者がプログラムメーカーに所望のコンピュータプログラムを発注するためのデータが記録されていないので、プログラムメーカーが開設しているウエブサイトのアドレスが不明である場合には、所望のコンピュータプログラムの発注を容易かつ迅速に行うことができないという不都合がある。
【０００６】
本発明は、かかる従来技術の不備を解決するためになされたものであり、その目的は、コンピュータプログラムの購入希望者が購入前に当該コンピュータプログラムを十分に理解することができ、しかも所望のコンピュータプログラムを迅速かつ容易に入手可能なコンピュータプログラムの販売システムを提供することにある。
【０００７】
【課題を解決するための手段】
本発明は、前記の目的を達成するため、コンピュータプログラムの販売システムを、プログラムメーカーに備えられたメーカー端末と、コンピュータプログラムの使用者が所有する使用者端末と、コンピュータプログラムの店頭販売者が所有する販売者端末と、これらの各端末間を接続する通信ネットワークとを備え、前記コンピュータプログラムの店頭販売者は、前記プログラムメーカーが製造販売するコンピュータプログラムより抜粋されたサンプルデータ及び／又は前記プログラムメーカーが製造販売するコンピュータプログラムに関する広告宣伝用データ並びに前記使用者端末を前記メーカー端末にリンクさせるための通信プログラムが記録されたサンプルメディアを作成して前記使用者に配付し、前記サンプルメディアを入手した前記使用者は、前記サンプルメディアに記録された前記データを前記使用者端末にて開き、購入を希望するコンピュータプログラムがあった場合には、前記通信プログラムを用いて前記使用者端末より前記メーカー端末に購入を希望するコンピュータプログラムに係る発注データの送信を行い、前記プログラムメーカーは、前記メーカー端末に受信された前記発注データに基づいて前記使用者に商品であるコンピュータプログラムの発送又は送信を行うと共に、前記メーカー端末より前記販売者端末に前記発注データのうちの少なくとも発注数量に関するデータを転送するという構成にした。
【０００８】
このように、プログラムの店頭販売者は、プログラムメーカーが製造販売するコンピュータプログラムより抜粋されたサンプルデータ及び／又はプログラムメーカーが製造販売するコンピュータプログラムに関する広告宣伝用データ並びに使用者端末を前記メーカー端末にリンクさせるための通信プログラムが記録されたサンプルメディアを作成して使用者に配付するので、サンプルメディアの配付による広告宣伝作用により店頭でのコンピュータプログラムの売り上げを増やすことができると共に、プログラムメーカーから販売数量に応じた広告宣伝費用の支払いを受けることもできるので、店舗の総売上を増やすことができる。また、サンプルメディアを入手した使用者は、サンプルメディアに使用者端末をメーカー端末にリンクさせるための通信プログラムが記録されているので、所望のコンピュータプログラムを製造販売しているプログラムメーカーへのアクセスを容易に行うことができ、所望のコンピュータプログラムの入手を迅速かつ容易に行うことができる。さらに、プログラムメーカーは、サンプルメディアに使用者端末をメーカー端末にリンクさせるための通信プログラムを記録しておくことによって、使用者端末からメーカー端末へのアクセスの機会を増やすことができるので、資金の回収を迅速に行うことができる。
【０００９】
本発明は、前記の目的を達成するため、前記構成のコンピュータプログラムの販売システムにおいて、前記店頭販売者は、前記プログラムメーカーとの契約に基づいて前記サンプルディスクの作成を行うという構成にした。
【００１０】
このように、店頭販売者がプログラムメーカーとの契約に基づいてサンプルディスクの作成を行うと、特許権侵害又は著作権侵害の問題を回避することができるので、本発明に係るシステムの構築を円滑に行うことができる。
【００１１】
本発明は、前記の目的を達成するため、前記構成のコンピュータプログラムの販売システムにおいて、前記店頭販売者は、前記通信ネットワークを介して前記メーカー端末から前記販売者端末に送信される電子データの形で前記プログラムメーカーから前記サンプルメディアに記録すべきコンピュータプログラムの提供を受けるという構成にした。
【００１２】
このように、店頭販売者が通信ネットワークを介して送信される電子データの形でプログラムメーカーからサンプルメディアに記録すべきコンピュータプログラムの提供を受けると、未だ可搬型情報記録媒体に記録された形で商品化されていないコンピュータプログラムについてのサンプルメディアの作成が可能になるので、可搬型情報記録媒体に記録された形で商品化されたコンピュータプログラムの発売時期に合わせて当該商品の広告宣伝を行うことができ、商品であるコンピュータプログラムの販売の立ち上げを円滑かつ効率的に行うことができる。
【００１３】
本発明は、前記の目的を達成するため、前記構成のコンピュータプログラムの販売システムにおいて、前記店頭販売者は、前記コンピュータプログラムが可搬型情報記録媒体に記録されたデータパックの形で前記プログラムメーカーから前記サンプルメディアに記録すべきコンピュータプログラムの提供を受けるという構成にした。
【００１４】
このように、店頭販売者がデータパックの形でプログラムメーカーからサンプルメディアに記録すべきコンピュータプログラムの提供を受けると、仮に何らかの原因によってコンピュータ内にインストールされた当該プログラムが破壊された場合にも、何回でもコンピュータ内に当該プログラムをインストールし直すことができるので、サンプルメディアの作成をより確実かつ便利にすることができる。
【００１５】
本発明は、前記の目的を達成するため、前記構成のコンピュータプログラムの販売システムにおいて、前記使用者は、前記通信ネットワークを介して前記メーカー端末から前記使用者端末に送信される電子データの形で前記プログラムメーカーから前記コンピュータプログラムを購入するという構成にした。
【００１６】
このように、使用者が通信ネットワークを介して送信される電子データの形でプログラムメーカーからコンピュータプログラムを購入すると、使用者は所望のコンピュータプログラムを発注から短時間で入手することができるので、コンピュータの利用を便利にすることができる。
【００１７】
本発明は、前記の目的を達成するため、前記構成のコンピュータプログラムの販売システムにおいて、前記使用者は、前記コンピュータプログラムが可搬型情報記録媒体に記録されたデータパックの形で前記プログラムメーカーから前記コンピュータプログラムを購入するという構成にした。
【００１８】
このように、使用者がデータパックの形でプログラムメーカーからコンピュータプログラムを購入すると、仮に何らかの原因によってコンピュータ内にインストールされた当該プログラムが破壊された場合にも、何回でもコンピュータ内に当該プログラムをインストールし直すことができるので、当該コンピュータプログラムの利用を便利にすることができる。また、使用者は不要になったデータパックを中古ソフトとして第三者に譲渡することができるので、その売却利益を得ることができる。
【００１９】
本発明は、前記の目的を達成するため、前記構成のコンピュータプログラムの販売システムにおいて、前記サンプルメディアに前記サンプルデータ及び／前記広告宣伝用データの使用日数又は使用回数を制限するための使用制限プログラムを記録しておき、前記使用者による前記サンプルメディアの使用が前記使用制限プログラムによって規制された制限を超えた場合、自動的に前記使用者による前記サンプルメディアの使用を禁止するという構成にした。
【００２０】
このように、サンプルメディアにサンプルデータの使用日数又は使用回数を制限するための使用制限プログラムを記録しておき、使用者によるサンプルメディアの使用が使用制限プログラムによって規制された制限を超えた場合に自動的に使用者によるサンプルメディアの使用を禁止すると、サンプルメディアの配付がコンピュータプログラムの販売に悪影響を及ぼすことがないので、プログラムメーカー及びプログラム販売者の利益を損なうことがない。
【００２１】
本発明は、前記の目的を達成するため、前記構成のコンピュータプログラムの販売システムにおいて、前記サンプルメディアに前記サンプルデータ及び／又は前記広告宣伝用データの前記使用者端末へのセーブを禁止するためのセーブ禁止プログラムを記録するという構成にした。
【００２２】
このように、サンプルメディアにサンプルデータ及び／又は広告宣伝用データの使用者端末へのセーブを禁止するためのセーブ禁止プログラムを記録すると、サンプルメディアの配付がコンピュータプログラムの販売に悪影響を及ぼすことがないので、プログラムメーカー及びプログラム販売者の利益を損なうことがない。
【００２３】
【発明の実施の形態】
以下、本発明に係るコンピュータプログラムの販売システムの一実施形態例を図に基づいて説明する。
【００２４】
図１に示すように、本例のコンピュータプログラムの販売システムは、プログラムメーカー１に備えられたメーカー端末１Ａと、コンピュータプログラムの使用者（購入希望者）２が所有する使用者端末２Ａと、コンピュータプログラムの店頭販売者３が所有する販売者端末３Ａと、前記各端末１Ａ，２Ａ，３Ａ間を接続する通信ネットワーク４とから構築される。プログラムメーカー１及び店頭販売者３は、それぞれ一人であっても良いし複数人であっても良い。勿論、ここにいう「人」とは、自然人又は法人の双方を含む。一方、使用者２としては、不特定多数のユーザが対象になる。
【００２５】
店頭販売者３は、販売しようとするコンピュータプログラム５より抜粋されたサンプルデータ及び／又は販売しようとするコンピュータプログラム５に関する広告宣伝用データ並びに使用者端末２Ａをメーカー端末１Ａにリンクさせるための通信プログラムが少なくとも記録されたサンプルメディア６を作成し、使用者２に無料で配付する。サンプルメディア６の配付方法としては、店頭で無作為に配付する方法や、コンピュータの購入者にサービス品として配付する方法などが考えられる。なお、前記サンプルメディア６は、例えばＣＤ−ＲＯＭやＤＶＤ−ＲＯＭそれにメモリカードなどの可搬型情報記録媒体をもって作成することができる。
【００２６】
図２は、店頭販売者３が使用者２に配付するサンプルメディア６の一例を示す図であって、本例のサンプルメディア６には、３種類のサンプルデータＳＤ１，ＳＤ２，ＳＤ３と、２種類の広告宣伝用データＡＤ１，ＡＤ２と、前記各サンプルデータＳＤ１，ＳＤ２，ＳＤ３及び前記各広告宣伝用データＡＤ１，ＡＤ２と１対１に関連付けて記録された通信プログラムＣＰ１〜ＣＰ５と、前記各サンプルデータＳＤ１，ＳＤ２，ＳＤ３及び前記各広告宣伝用データＡＤ１，ＡＤ２の使用日数又は使用回数を制限するための使用制限プログラムＬＰと、前記各サンプルデータＳＤ１，ＳＤ２，ＳＤ３及び前記各広告宣伝用データＡＤ１，ＡＤ２の使用者端末２Ａへのセーブを禁止するためのセーブ禁止プログラムＳＰと、店頭販売者３を識別するための販売者ＩＤとが記録されている。
【００２７】
前記サンプルデータＳＤ１，ＳＤ２，ＳＤ３は、プログラムメーカー１が製造販売するコンピュータプログラム５より抜粋されたデータをもって構成され、前記広告宣伝用データＡＤ１，ＡＤ２は、プログラムメーカー１が製造販売するコンピュータプログラム５の特徴点を紹介する画像や音声等をもって構成される。前記通信プログラムＣＰ１〜ＣＰ５は、商品であるコンピュータプログラム５の発注を前記使用者端末２Ａから前記メーカー端末１Ａに行うものであり、所望のコンピュータプログラム５の発注に必要な発注データを前記通信ネットワーク４につなげるプログラムより構成される。使用制限プログラムＬＰは、例えば配付日からの日数又は前記各データＳＤ１，ＳＤ２，ＳＤ３，ＡＤ１，ＡＤ２の使用回数を限って前記サンプルディスク６の使用を制限するものであり、予め設定された日数又は使用回数に達した場合に前記データＳＤ１，ＳＤ２，ＳＤ３，ＡＤ１，ＡＤ２の起動を禁止するプログラムより構成される。前記販売者ＩＤは、前記店頭販売者３を前記メーカー端末１Ａ側で認識するためのものであって、数字又は記号もしくはこれらの組合せをもって構成される。
【００２８】
前記各サンプルデータＳＤ１，ＳＤ２，ＳＤ３及び前記各広告宣伝用データＡＤ１，ＡＤ２の作成ひいては前記サンプルメディア６の作成は、特許権侵害又は著作権侵害の問題を回避するため、前記店頭販売者３と前記プログラムメーカー１との間の契約に基づいて行われる。本契約により、前記プログラムメーカー１から前記店頭販売者３に対する販売数量に応じた広告宣伝費用の支払いを円滑に行うことができる。
【００２９】
前記各サンプルデータＳＤ１，ＳＤ２，ＳＤ３及び前記各広告宣伝用データＡＤ１，ＡＤ２の基になるコンピュータプログラム５は、前記店頭販売者３が独自に収集することもできるし、前記プログラムメーカー１からの提供を受けることもできる。コンピュータプログラム５の提供を前記プログラムメーカー１から受ける場合には、前記通信ネットワーク４を介して前記メーカー端末１Ａから前記販売者端末３Ａに送信される電子データの形で受けることもできるし、コンピュータプログラム５が可搬型情報記録媒体に記録されたデータパックの形で受けることもできる。コンピュータプログラムの提供を電子データの形で受けると、未だ可搬型情報記録媒体に記録された形で商品化されていないコンピュータプログラムについてのサンプルメディア６の作成が可能になるので、データパックの形で商品化されたコンピュータプログラム５の発売時期に合わせて当該商品の広告宣伝を行うことができ、商品であるコンピュータプログラム５の販売の立ち上げを円滑かつ効率的に行うことができる。一方、コンピュータプログラム５の提供をデータパックの形で受けると、仮に何らかの原因によってコンピュータ内にインストールされた当該プログラムが破壊された場合にも、何回でもコンピュータ内に当該プログラムをインストールし直すことができるので、サンプルメディア６の作成をより確実かつ便利にすることができる。
【００３０】
図３は、サンプルメディア６を開いたときに使用者端末２Ａのディスプレイ上に表示されるフロントページの一例を示す図であって、本例のサンプルメディア６においては、フロントページ１０に、サンプルデータＳＤ１，ＳＤ２，ＳＤ３及び広告宣伝用データＡＤ１，ＡＤ２の基になるコンピュータプログラムの商品名１１ａ〜１１ｅと、商品名１１ａ〜１１ｃの近傍にそれぞれ配置された「体験版を試す」ボタン１２ａ〜１２ｃ及び「購入ページへ」ボタン１３ａ〜１３ｃと、商品名１１ｄ，１１ｅの近傍にそれぞれ配置された「紹介ムービーを見る」ボタン１２ｄ，１２ｅ及び「購入ページへ」ボタン１３ｄ，１３ｅが表示される。使用者２が「体験版を試す」ボタン１２ａ〜１２ｃのいずれかをクリックした場合には、クリックされたボタンに対応するサンプルデータＳＤ１，ＳＤ２，ＳＤ３が起動し、当該サンプルデータの体験使用が可能になる。また、使用者２が「紹介ムービーを見る」ボタン１２ｄ，１２ｅのいずれかをクリックした場合には、クリックされたボタンに対応する広告宣伝用データＡＤ１，ＡＤ２が起動し、当該広告宣伝用データの視聴が可能になる。これによって、使用者２は、サンプルメディア６に収録されたサンプルデータＳＤ１，ＳＤ２，ＳＤ３を体験することができ、かつサンプルメディア６に収録された広告宣伝用データＡＤ１，ＡＤ２を視聴することができるので、購入したいコンピュータプログラムであるか否かの判断を容易かつ的確に行うことができる。
【００３１】
使用者２が「購入ページへ」ボタン１３ａ〜１３ｅのいずれかをクリックすると、使用者端末２Ａのディスプレイ上には、図４に例示する購入ページ２０が表示される。図４は、フロントページ１０の「購入ページへ」ボタン１３ａをクリックした場合に使用者端末２Ａのディスプレイ上に表示される購入ページ２０の例を示すものであって、商品名の記入欄２１と、発注数量の記入欄２２と、発注者氏名の記入欄２３と、発注者住所の記入欄２４と、使用者端末２Ａに付与されたパスワードの記入欄２５と、支払いに使用するクレジットカードの記入欄２６と、クレジットカードに付与されたカードＩＤの記入欄２７と、商品購入方法の選択ボタン２８と、商品の発注ボタン２９とが設けられており、商品名の記入欄２１には「購入ページへ」ボタン１３ａに対応する商品名「プログラム１」が記載されており、その他の欄は空欄になっている。なお、使用者２が商品購入方法の選択ボタン２８をチェックすると、自動的にパスワードの記入欄２５が記入禁止状態になり、使用者２が商品購入方法の選択ボタン２８をチェックしないと、自動的に発注者氏名の記入欄２３及び発注者住所の記入欄２４が記入禁止状態になる。
【００３２】
購入を希望するコンピュータプログラムがあった場合、使用者２は、選択ボタン２８を操作して或いは操作しないで商品購入方法を選択し、かつ必要な記入欄に必要事項を記入した後、商品の発注ボタン２９をクリックする。これにより、サンプルメディア６に記録された通信プログラムＣＰ１が起動し、購入ページ２０に記入された各事項及びサンプルメディア６に予め記録された販売者ＩＤよりなる発注データが通信ネットワーク４を介して使用者端末２Ａからメーカー端末１Ａに送信される。
【００３３】
なお、サンプルディスク６が使用者端末２に装着されると、使用制限プログラムＬＰが自動的に起動し、サンプルメディア６の使用日数又は使用回数がカウントされる。そして、使用者２によるサンプルディスク６の使用がサンプルメディア６に予め設定された日数又は使用回数に達すると、それ以後の各サンプルデータＳＤ１，ＳＤ２，ＳＤ３及び各広告宣伝用データＡＤ１，ＡＤ２の使用が自動的に禁止される。これにより、サンプルメディア６の配付によるコンピュータプログラム販売上の悪影響を防止することができ、プログラムメーカー１及び店頭販売者３の利益の保全を図ることができる。
【００３４】
また、サンプルディスク６が使用者端末２に装着されると、セーブ禁止プログラムＳＰが自動的に起動し、使用者２による使用者端末２Ａへの前記各サンプルデータＳＤ１，ＳＤ２，ＳＤ３及び各前記各広告宣伝用データＡＤ１，ＡＤ２のセーブが自動的に禁止される。これにより、サンプルメディア６の配付によるコンピュータプログラム販売上の悪影響が防止することができ、プログラムメーカー及びプログラム販売者の利益の保全を図ることができる。
【００３５】
プログラムメーカー１は、クレジットカードによる対価の精算を行った後、メーカー端末１Ａに受信された発注データに基づいて、前記使用者２に発注商品であるコンピュータプログラム５の発送又は送信を行う。即ち、使用者２が電子データの形によるコンピュータプログラム５の購入を希望する場合、メーカー端末１Ａは、通信ネットワーク４を介して使用者端末２Ａに発注商品であるコンピュータプログラム５をダウンロードする。これに対して、使用者２がデータパックによるコンピュータプログラム５の購入を希望する場合、プログラムメーカー１は、使用者２に発注商品であるコンピュータプログラム５を郵便又は宅配便にて発送する。使用者２が電子データの形で商品であるコンピュータプログラム５を購入すると、使用者２は所望のコンピュータプログラム５を短時間のうちに入手することができるので、コンピュータの利用を便利にすることができる。一方、使用者２がデータパックの形で商品であるコンピュータプログラム５を購入すると、仮に何らかの原因によってコンピュータ内にインストールされた当該プログラムが破壊された場合にも、何回でもコンピュータ内に当該プログラムをインストールし直すことができるので、当該コンピュータプログラム５の利用を便利にすることができる。また、使用者２は不要になったデータパックを中古ソフトとして第三者に譲渡することができるので、その売却利益を得ることができる。
【００３６】
これと共に、プログラムメーカー１は、店頭販売者３との契約に基づいて、メーカー端末１Ａに受信された発注データのうちから、少なくとも店頭販売者３が配付したサンプルメディア６を使って発注された各商品の数量を含む販売実績データを販売者端末３Ａに送信する。図５は販売者端末３Ａに送信される販売実績データの一例を示す図であって、サンプルメディア６に収録された各コンピュータプログラム（商品名１１ａ〜１１ｅ）毎の発注個数と当該店頭販売者の販売者ＩＤとが送信される。店頭販売者３は、メーカー端末１Ａより送信された販売実績データに基づいて、プログラムメーカー１に広告宣伝費用を請求することができる。なお、メーカー端末１Ａから販売者端末３Ａへの販売実績データの送信は、必ずしも使用者端末２Ａからメーカー端末１Ａに発注データの送信がある毎に行う必要はなく、予め契約により定められた所定の期間毎に集計して送信することもできる。
【００３７】
前記実施形態例に係るコンピュータプログラムの販売システムによると、店頭販売者３は、プログラムメーカー１が製造販売するコンピュータプログラムより抜粋されたサンプルデータ及び／又はプログラムメーカー１が製造販売するコンピュータプログラムに関する広告宣伝用データ並びに使用者端末をメーカー端末にリンクさせるための通信プログラムが記録されたサンプルメディア６を作成して店頭にて使用者２に配付するので、サンプルメディア６の配付による広告宣伝作用により店頭でのコンピュータプログラム５の売り上げを増やすことができると共に、プログラムメーカー１から販売数量に応じた広告宣伝費用の支払いを受けることもできるので、店舗の総売上を増やすことができる。また、サンプルメディア６を入手した使用者２は、サンプルメディア６に使用者端末２Ａをメーカー端末１Ａにリンクさせるための通信プログラムが記録されているので、所望のコンピュータプログラム５を製造販売しているプログラムメーカー１へのアクセスを容易に行うことができ、所望のコンピュータプログラム５の入手を迅速かつ容易に行うことができる。さらに、プログラムメーカー１は、サンプルメディア６に使用者端末２Ａをメーカー端末１Ａにリンクさせるための通信プログラムを記録しておくことによって、使用者端末２Ａからメーカー端末１Ａへのアクセスの機会を増やすことができるので、資金の回収を迅速に行うことができる。
【００３８】
なお、前記実施形態例においては、サンプルメディア６にサンプルデータＳＤ１，ＳＤ２，ＳＤ３と広告宣伝用データＡＤ１，ＡＤ２とを収録したが、本発明の要旨はこれに限定されるものではなく、サンプルデータのみ、又は広告宣伝用データのみを収録することもできる。
【００３９】
また、前記実施形態例においては、サンプルメディア６のフロントページ１０に各商品名１１ａ〜１１ｃに対応させて各「購入ページへ」ボタン１３ａ〜１３ｅを配置し、「購入ページへ」ボタン１３ａ〜１３ｅのいずれかがクリックされた場合に、クリックされた「購入ページへ」ボタンに応じた商品名を購入ページ２０に自動的に表示するようにしたが、本発明の要旨はこれに限定されるものではなく、フロントページ１０には「購入ページへ」ボタンを１つのみ配置し、この「購入ページへ」ボタンがクリックされた場合に、購入ページ２０において使用者２に所望の商品名又は商品名に対応する商品番号の入力を求めるようにすることもできる。
【００４０】
また、前記実施形態例においては、サンプルメディア６に販売者ＩＤを記録したが、本発明の要旨はこれに限定されるものではなく、店頭販売者３が単数である場合にはこれを省略することもできる。
【００４１】
また、前記実施形態例においては、商品対価の支払いをクレジットカードによる支払いのみに限定したが、本発明の要旨はこれに限定されるものではなく、銀行振込による支払いや現金書留による支払いなどを併用することもできる。
【００４２】
【発明の効果】
以上説明したように、本発明によると、店頭販売者は、プログラムメーカーが製造販売するコンピュータプログラムより抜粋されたサンプルデータ及び／又はプログラムメーカーが製造販売するコンピュータプログラムに関する広告宣伝用データ並びに使用者端末をメーカー端末にリンクさせるための通信プログラムが記録されたサンプルメディアを作成して店頭にて使用者２に配付するので、サンプルメディアの配付による広告宣伝作用により店頭でのコンピュータプログラムの売り上げを増やすことができると共に、プログラムメーカーから販売数量に応じた広告宣伝費用の支払いを受けることもできるので、店舗の総売上を増やすことができる。また、サンプルメディアを入手した使用者は、サンプルメディアに使用者端末をメーカー端末にリンクさせるための通信プログラムが記録されているので、所望のコンピュータプログラムを製造販売しているプログラムメーカーへのアクセスを容易に行うことができ、所望のコンピュータプログラムの入手を迅速かつ容易に行うことができる。さらに、プログラムメーカーは、サンプルメディアに使用者端末をメーカー端末にリンクさせるための通信プログラムを記録しておくことによって、使用者端末からメーカー端末へのアクセスの機会を増やすことができるので、資金の回収を迅速に行うことができる。
【図面の簡単な説明】
【図１】実施形態例に係るコンピュータプログラムの販売システムの構成図である。
【図２】サンプルメディアに記録されるデータ及びプログラムの一例を示す図である。
【図３】サンプルメディアを開いたときに表示されるフロントページの一例を示す図である。
【図４】「購入ページへ」ボタンをクリックしたときに表示される購入ページの一例を示す図である。
【図５】販売者端末３Ａに送信される販売実績データの一例を示す図である。
【符号の説明】
１　プログラムメーカー
１Ａ　メーカー端末
２　使用者（購入希望者）
２Ａ　使用者端末
３　店頭販売者
３Ａ　販売者端末
４　通信ネットワーク
５　コンピュータプログラム
６　サンプルメディア６
【図１】
2004127014.tif 000003
【図２】
2004127014.tif 000004
【図３】
2004127014.tif 000005
【図４】
2004127014.tif 000006
【図５】
2004127014.tif 000007